(57)【要約】【課題】パスワードの入力過程が観察されにくく、観察又は録画されてもパスワードが確認できないようにしたパスワード漏洩対策電子錠を提供する。【解決手段】前面透視窓（３０）の前方上側から下向傾斜方向へ観察されるように数字を表示する数字表示板（４０）と、回転によって回転信号又はプッシュによるプッシュ信号を発生させるダイヤルボタン（５０）と、ドア（１５）の施錠又は開錠のためのデッドボルト（７１）を作動させる施錠メカニズム（７０）と、ダイヤルボタンの回転信号の転送を受け回転角度が一定角度ずつ変わる度に数字表示板の数字を増加又は減数させて表示させ、プッシュ信号の転送時に表示されている数字表示板の数字をパスワードの入力数字として認識し、入力数字が順次に入力され予め設定されたパスワードと一致すれば施錠メカニズムがドアの施錠を開錠するよう制御する制御装置（６０）を含む。【選択図】図４
2014092027.tif 000002
【特許請求の範囲】
【請求項１】
ドアに取り付けられ多数の桁数のパスワードの入力により施錠状態が開錠されるパスワード漏洩対策電子錠において、
前面ケースと、
前記前面ケースに設置された前面透視窓と、
前記前面透視窓の内側に設置され、前記前面透視窓の前方上側から下向傾斜方向に前記前面透視窓を通じ観察されるよう前記前面透視窓と所定の角度になり、横になっている状態で数字を表示する数字表示板と、
前記前面透視窓の下側から前記前面ケースから突出され設置し回転による回転信号及びプッシュ動作によるプッシュ信号を発生させるダイヤルボタンと、
前記ドアを施錠又は開錠させるためのデッドボルトを作動させる施錠メカニズムと、
前記ダイヤルボタンの回転信号の転送を受け回転角度が一定角度ずつ増加する度に前記数字表示板の数字を順次に増加又は減数させ表示するようにし、前記ダイヤルボタンのプッシュ信号の転送時その時点に表示されている前記数字表示板の数字をパスワードの入力数字として認識し、前記入力数字が順次に入力され予め設定されたパスワードと一致すれば前記施錠メカニズムの前記ドアの施錠を開錠するよう制御する制御装置と、を含むこと特徴とするパスワード漏洩対策電子錠。
【請求項２】
第1項において、
前記所定の角度は８０〜１００°の範囲内で選択された角度であることを特徴とするパスワード漏洩対策電子錠。
【請求項３】
第２項において、
前記前面透視窓の幅は前記数字表示板に表示される数字の幅の１．１〜１．８倍であることを特徴とするパスワード漏洩対策電子錠。
【請求項４】
第１項又は第３項において、
前記制御装置は
前記ダイヤルボタンからプッシュ信号の転送を受けた場合、前記数字表示板にランダムに抽出した新しい数字が表示されるよう前記数字表示板を制御することを特徴とするパスワード漏洩対策電子錠。
【発明の詳細な説明】
【技術分野】
【０００１】
本発明は、電子錠にパスワードを入力する過程を周りから盗み見しにくくして、 パスワードが流出されないようにしたパスワード漏洩対策電子錠に関する。
【背景技術】
【０００２】
電子錠は、マンション、オフィスなどの出入り口のセキュリティを維持するために設置されるもので、通常、外側に設置されたキーパッドのボタンキーにパスワードを入力することでドアを開錠することを可能にするのである。
【０００３】
しかし、他人がパスワードの入力を観察した後、パスワードを知っていることによって、犯罪に悪用される可能性があるため、多くの電子錠メーカー等がパスワードの漏洩を防止できる電子錠を開発してきている。
【０００４】
図１は、特許文献１に記載されている電子錠（１）を表している。上記電子錠（１）は、通常の電子錠と同様、パスワードが入力できるボタンキー（２）が設けてあるが、ボタンキー（２）により入力された数字で順次に入力したパスワード以後に入力される信号はこれを無視し、予め設定されたパスワードボタンキーを押す前に任意に入力したパスワードも無視するよう暗証番号解読プログラムが内蔵されている。すなわち、パスワードの入力前後に任意の数字を追加して入力することで、連続してパスワードを押す過程をみてもパスワードの認知が難しく、パスワードが簡単に漏洩できないように構成したものである。
【０００５】
図２に表記された電子錠（４）は、特許文献２に記載されたもので、回転キー（５）を利用しモニター部（６）に表示されている番号を探しパスワードを入力する構造である。以上のようなパスワード入力方式は、キー入力部分の数字ボタンが頻繁の入力操作により跡が付くことでパスワードが漏洩される危険性を避ける方法として多く使われている。
【先行技術文献】
【特許文献】
【０００６】
【特許文献１】韓国登録実用新案公報第２０−０２８２６５６号
【特許文献２】韓国登録特許公報第１０−０８０００９６号
【発明の概要】
【発明が解決しようとする課題】
【０００７】
しかし、前述した従来の電子錠は、近くにいる人が暗証番号の入力過程を観察したり、録画機器を用いて録画したりするとパスワードを簡単に知られてしまうという問題がある。
【０００８】
即ち、図1の電子錠は、入力される全体の数字列中にパスワードが連続する数字列が含まれているので、入力過程を観察した後、数回試してみればパスワードを見つけ出すことができる。また、パスワード以外の数字を多数入力することが面倒なため、パスワードの前後に入力する数字の桁数を１桁や２桁で入力したりパスワードのみを入力したりした場合は簡単にパスワードが漏洩される危険性があり、出入りする複数の人が入力する過程を観察すると共通で含んでいる数字パターンを簡単に割り出すことができる。
【０００９】
図２の電子錠は、モニター部が外部に露出されやすい画面で構成されていて、モニター部がユーザーによって隠されても回転キーの入力パターン(各数字入力時の回転量)を観察したり録画したりしたら順次に入力される数字間の相関関係が把握されてしまうのでパスワードが簡単に漏洩されやすいのである。
【００１０】
本発明は、上述した事情に鑑みてなされたものであり、パスワードを入力する過程が周囲の人に観察されにくいようにし、その過程が観察又は録画されてもパスワードが確認できず漏洩されないようにしたパスワード漏洩対策電子錠を提供するものである。
【課題を解決するための手段】
【００１１】
このように本発明は、ドアに取り付けられ複数のパスワードの入力によりロック状態から開錠されるパスワード漏洩対策電子錠において、前面ケースと前記前面ケースに設置される前面透視窓と、前記前面透視窓の内側に設置され、前記前面透視窓の前方上側から下側傾斜方向に観察されるよう、前記前面透視窓と所定の角度（α）を保ち横になっている状態で、数字を表示する数字表示板と、前記前面透視窓の下側から前記前面透視窓から突出され設置され、回転により回転信号及びプッシュ信号を発生させるダイヤルボタンと、ドアをロック又はロック開錠させるためデッドボルトを作動させるロックメカニズムと、前記ダイヤルボタンの回転信号を受け回転角度が一定角度ずつ増加する度に前記数字表示板の数字を順次に増加又は減数させて表示し、前記ダイヤルボタンのプッシュ信号の転送時、その時点に表示されている前記数字表示板の数字を暗証番号の入力数字に認識し、前記入力数字が順次に入力され、予め設定されたパスワードと一致すれば前記ロックメカニズムが前記ドアのロックを開錠するよう制御する制御装置を含んでいる。
【００１２】
前記構成で、所定の角度は８０〜１００°の範囲で選択された角度が望ましい。
【００１３】
また、前記前面透視窓の幅は前記数字表示板に表示される数字の幅の１．１〜１．８倍が望ましい。
【００１４】
また、前記制御装置は、前記ダイヤルボタンからプッシュ信号を受けた場合、前記数字表示板にランダムに抽出された新しい数字が表示されるよう前記数字表示板を制御するのが望ましい。
【発明の効果】
【００１５】
本発明によるパスワード漏洩対策電子錠は、パスワードが入力されうる過程で、ユーザーがパスワードを確認できる数字表示板が、前面ケースの内部で横になっている状態で設置されることによって、周囲にいる人が観察したりカメラで録画したりしても数字表示板が露出されない。
【００１６】
また、本発明は、数字表示板に表示される数字を選択するようダイヤルボタンの回転方式を利用しているため、キーパッド方式のようにパスワードを押す度に跡が残るようなこともなく、パスワードが漏洩される危険性がなくなる。
【００１７】
また、本発明は、パスワードの表示板は一桁のみを選択し、次の桁数の番号を選択するように始まる番号がランダムで抽出され表示されるので、ダイヤルボタンを回転させるパターンを観察してもパスワードの各桁数の間の関係が推測できなくなる。
【００１８】
このようにパスワードを入力する状況を周囲に隠れて観察したり撮影機器を利用し撮影したりしても、数字表示板の撮影が難しいだけでなく、ダイヤルのボタンの観察によってもパスワードの推測が難しいため、パスワードの漏洩が確実に防止できるのである。
【図面の簡単な説明】
【００１９】
【図１】従来の電子錠の外観を図示する正面図。
【図２】従来の別の電子錠の外観を図示する正面図。
【図３】本発明の実施例によるパスワード漏洩対策電子錠の外観を図示する図。
【図４】本発明の実施例によるパスワード漏洩対策電子錠の構成を図示する説明図。
【図５】本発明の実施例によるパスワード漏洩対策電子錠をユーザーが操作する状態を図示する説明図。
【図６】本発明の実施例によるパスワード漏洩対策電子錠の作動過程を図示するブロック図。
【発明を実施するための形態】
【００２０】
本発明の実施例を、図面を参照してより具体的に説明する。
【００２１】
図３及び図４を参照すると、本発明の実施例によるパスワード漏洩対策電子錠（１０）は、ドア（１５）に取り付けられ多数桁数のパスワードの入力によりロック状態から開錠されるもので、前面ケース（２０）と上記前面ケース（２０）に設置される前面透視窓（３０）と、上記前面透視窓（３０）の内側で前面透視窓（３０）と所定の角度（α）になるよう横になっている状態で設置される数字を表示する数字表示板（４０）と、上記前面透視窓（３０）の下側から前面ケース（２０）から突出されて設置され、回転による回転信号及びプッシュ操作によるプッシュ信号を発生させるダイヤルボタン（５０）と、ドア（１５）を施錠又は開錠させるためのデッドボルト（７１）を作動させるロックメカニズム（７０）と、上記ダイヤルボタン（５０）の回転信号を受け回転角度が一定角度ずつ増加する度に数字表示板（４０）の数字を順次に増加又は減数させて表示するようにし、ダイヤルボタン（５０）のプッシュ信号の転送時その時点に表示されている数字表示板（４０）の数字をパスワードの入力数字として認識し、上記入力数字が順次に入力されて予め設定されたパスワードと一致すればロックメカニズム（７０）がドア（１５）の施錠を開錠するよう制御する制御装置（６０）と、を含む。
【００２２】
上記前面ケース（２０）は、ドア（１５）に取り付けられたパスワード漏洩対策電子錠（１０）の外観を形成する部分である。通常、ボックス型として形成され、その前面の中央部分に前面透視窓（３０）とダイヤルボタン（５０）が上下に設置されている。
【００２３】
上記前面透視窓（３０）は、透明のガラス、透明のアクリルなどの材質で出来ていて、内部が透視できるよう前面ケース（２０）の中央の上部側前面に設置される。前面透視窓（３０）の内部には数字表示板（４０）が設置されることで前面透視窓（３０）を通じ数字表示板（４０）の数字を確認することが出来る。
【００２４】
上記前面透視窓（３０）は、楕円形のような形状で設置されるのが望ましく、その幅は上記数字表示板（４０）に表示される数字の幅の１．１〜１．８倍であることが望ましい。これはユーザーの目と、前面透視窓（３０）と横になっている数字表示板（４０）の数字とを一直線上にほぼ一致させなければ数字の確認が出来ないように中央に位置する前面透視窓（３０）の幅を制限したものである。前面透視窓（３０）の幅が狭い場合、隣の左右側からの位置で前面透視窓（３０）を観察しても内部の数字の確認が難しいのである。
【００２５】
上記数字表示板（４０）は、前面透視窓（３０）の内側に設置され、前面透視窓（３０）を通じユーザーが数字を読めるようしたものである。数字表示板（４０）は、デジタル表示装置を使用し、０〜９の数字の中で選択された１桁の数字を制御装置（６０）の制御により表示する。
【００２６】
上記数字表示板（４０）は、８０〜１００°の範囲内で選択された角度（α）で横になっている状態で配置されることで前面透視窓（３０）の前方上側から前面透視窓（３０）を通じて観察しなければ数字が見えないように設置する。数字表示板（４０）と前面透視窓（３０）が保つ角度は９０°が望ましい。数字表示板（４０）の下側には数字表示板（４０）の駆動回路（４２）が設置される。上記選択された角度（α）を上記範囲より小さく設計することも可能だが４５°以下では効果が高くないので少なくとも４５°以上で設計される必要がある。
【００２７】
上記ダイヤルボタン（５０）は、ダイヤルの回転により上記数字表示板（４０）の数字を増減させ、プッシュボタン機能を持つダイヤルボタン（５０）を採用しユーザーが押すことにより上記数字表示板（４０）に表示されている数字を選択できるよう取り付けられる。よって、ダイヤルボタン（５０）は一定角度の回転信号を制御装置（６０）に転送し、制御装置（６０）は転送されてきた回転信号によって数字表示板（４０）の数字を増加又は減数させ、プッシュ動作によって現在表示されている数字のパスワードを構成する数字として選択することが出来る。
【００２８】
ダイヤルボタン（５０）は、前面ケース（２０)から突出された状態で設置され、上記前面透視窓（３０）の下側に位置し、ユーザーがダイヤルボタン（５０）を回しながら前面透視窓（３０）を観察できるようにする。
【００２９】
上記施錠メカニズム（７０）は、ドア（１５）がロックできるように突出されるデットボルト（７１）を駆動させるもので、ドア（１５）を閉めると施錠され、パスワードが入力されるとドア（１５）のロックが開錠されるように制御装置（６０）に制御信号によるデットボルト（７１）を駆動する通常の開錠装置である。
【００３０】
上記制御装置（６０）は、パスワード漏洩対策電子錠（１０）の全体的な駆動を制御するもので、上記ダイヤルボタン（５０）の回転信号の転送を受け回転角度が一定角度ずつ増加することで数字表示板（４０）の数字を順次に増加又は減数させ表示するよう制御する。また、上記ダイヤルボタン（５０）のプッシュ信号の転送を受けその時点に表示されている数字表示板（４０）の数字をパスワードの入力数字として認識し保存する。
【００３１】
また、制御装置（６０）は、ダイヤルボタン（５０）のプッシュによって選択された入力数字が順次に入力され、予め設定されたパスワードと一致すれば施錠メカニズム（７０）がドア（１５）の施錠を開錠するよう制御する。
【００３２】
図５は、本発明の実施例によるパスワード漏洩対策電子錠（１０）をユーザーが操作する状態を図示するフローチャートであり、図６は、本発明の実施例によるパスワード漏洩対策電子錠（１０)の動作過程を図示するブロック図である。
【００３３】
図５及び図６を参照すると、始めにユーザーは本発明のパスワード漏洩対策電子錠（１０）が設置されたドア（１５）の前方で前面透視窓（３０）を通じ数字表示板（４０）の数字が見えるよう視線を一致させる。
【００３４】
その後、ダイヤルの回転を始めるかダイヤルをプッシュすると（図６のＳ１０）、数字表示板（４０）に最初の数字が表示される。この時表示される数字は制御装置（６０）がランダム（Ｒａｎｄｏｍ）で抽出した数字を表示されるもので、以前入力されたパスワードの最後の数字が表示されるものではない。
【００３５】
数字表示板（４０）に数字が表示されると、ダイヤルボタン（５０）を時計方向又は反時計方向に回転させて、数字を順次に増加又は減数させる。パスワードの第1桁数が表示されると、ダイヤルボタン（５０）をプッシュしパスワードの第1桁数を選択する（Ｓ２０）。
【００３６】
第1桁数が選択された後は、制御装置（６０）が新しい数字をランダム（Ｒａｎｄｏｍ）に抽出して数字表示板（４０）に表示する（Ｓ３０）。そのように１つの桁数が選択された後、ランダム（Ｒａｎｄｏｍ）に新しい数字を表示し、次の桁数を選択するよう構成したのは、ダイヤルボタン（５０）のプッシュ時点の回転角からパスワードを推測できないようにするためである。即ち一つの桁数が選択された後、その数字から次の数字を選択する際、ダイヤルボタン（５０）のプッシュ時点からの回転角度（回転量）によって次の桁数が直前の桁数よりどれくらい増加又は減数された数字なのか推測ができる。その場合、周辺にいる人や撮影装置がダイヤルボタン（５０）の操作過程を観察したり撮影したりすることで、パスワードの数字との相関関係の確認が出来るので数回試してみれば簡単にパスワードを見つけ出すのである。
【００３７】
第１桁数選択後、ランダムに抽出された新しい数字が表示されると、ダイヤルボタン（５０）を回転させて第２桁数を合わせ、プッシュ動作による第２桁数のパスワードを選択する（Ｓ４０）。
【００３８】
第２桁数を選択後、制御装置（６０）が新しい数字をランダムに抽出し数字表示板（４０）に表示する（Ｓ５０）。
【００３９】
前述した過程を繰り返し最後の桁数まで選択が完了したら（Ｓ６０）、予め設定されたパスワードと一致した場合、制御装置（６０）は、施錠メカニズム（７０）を制御してデッドボルト（７１）を後退させることで施錠状態を開錠する。
【００４０】
万が一、入力された数字が予め設定されたパスワードと一致しなければ、制御装置（６０）は別途の音響装置を通じてエラーメロディーを発生させる（Ｓ８０）。
【００４１】
前述したように本発明のパスワード漏洩対策電子錠（１０）は、前面透視窓（３０）を通じ横になっている状態の数字表示板（４０）を観察するように構成され、前面透視窓（３０）の前方上側から観察しなければ数字表示板（４０）の数字が観察できないように構成したものである。
【００４２】
また、前面透視窓（３０）の幅を、表示する数字と同じ大きさになるか少し大きめのサイズにすることで前面透視窓（３０）の前方に立っているユーザー以外は前面透視窓（３０）の内部の数字の観察が難しいように構成している。
【００４３】
また、パスワード入力のため各桁の数字を選択後、次の桁の数字を選択するように始まる数字を直前に選択した数字にせず、ランダムに抽出した新しい数字にしている。よって、ダイヤルボタン（５０）の回転角度を観察しても各桁数の数字の相関関係が把握できないように構成したものである。
【００４４】
このように本発明は、パスワード漏洩対策電子錠（１０）にパスワードを入力する状況を周辺で観察しても数字表示板（４０）の数字が把握できないだけでなく、撮影機器を使い撮影してもパスワードの推測が難しいので、より確実にパスワード漏洩防止が出来るのである。
【００４５】
以上では本発明の望ましい実施例を説明したが、上記の実施例は本発明の技術的範囲内にある実施例に過ぎず、同業界の通常の技術者によっては本発明の技術内以外に別の変形された実施が可能である。
【符号の説明】
【００４６】
５  ；回転キー
６  ；ディスプレイ部
１０；パスワード漏洩対策電子錠
１５；ドア
２０；前面ケース
３０；前面透視窓
４０；数字表示板
４２；駆動回路
５０；ダイヤルボタン
６０；制御装置
７０；施錠メカニズム
７１；デッドボルト
【図１】
2014092027.tif 000003
【図２】
2014092027.tif 000004
【図３】
2014092027.tif 000005
【図４】
2014092027.tif 000006
【図５】
2014092027.tif 000007
【図６】
2014092027.tif 000008